(57)【要約】【課題】  デジタルカメラにより取得した画像に対して、撮影者の意図を反映した画像処理を行う。【解決手段】  画像処理装置２により、撮影画像１００に画像処理を施して補正画像２０を得る。得た補正画像２００を確認表し、該確認表示した補正画像２００に施した画像処理の補正条件３００を前記画像出力装置３に送信する。画像出力装置３は、補正条件３０に基づいて撮影画像１００に画像処理を施した補正画像２０１を得て、得た補正画像２０１をプリントする。【選択図】          図１
2005318561.tif 000002
【特許請求の範囲】
【請求項１】
被写体を撮影して得た撮影画像を補正する画像処理装置と、前記撮影画像の出力を受け付ける画像出力装置とを備えた画像出力システムにおいて、
前記画像処理装置が、
前記撮影画像に画像処理を施して補正画像を得る第１の補正手段と、
該第１の補正手段により得た補正画像を確認表示する確認表示手段と、
該確認表示手段により確認表示後、該確認表示した補正画像に施した画像処理の補正条件を前記画像出力装置に受け渡す補正条件受渡手段とを有し、
前記画像出力装置が、
前記補正条件を前記画像処理装置より受け取り、該補正条件に基づいて前記撮影画像に画像処理を施した補正画像を得る第２の補正手段と、
該第２の補正手段により得た補正画像を出力する出力手段とを有することを特徴とする画像出力システム。
【請求項２】
前記出力手段が、プリンタであることを特徴とする請求項1記載の画像出力装置。
【請求項３】
前記出力手段が、電子記録媒体に記録する記録装置であることを特徴とする請求項１記載の画像出力装置。
【請求項４】
前記補正条件が、前記第１の補正手段により得た補正画像の少なくとも一部を補正の結果として得た補正条件とすることを特徴とする請求項１から３記載の画像出力システム。
【請求項５】
前記画像処理装置が、デジタルスチルカメラであることを特徴とする請求項１から４記載の画像出力システム。
【請求項６】
前記画像処理装置が、前記撮影画像を前記画像出力装置に受け渡す撮影画像受渡手段を有するものであり、
前記画像出力装置の第２の補正手段が、前記画像処理装置から受取った撮影画像に画像処理を施すものであることを特徴とする請求項１から５いずれか記載の画像出力システム。
【請求項７】
前記画像処理装置が、前記画像処理装置の前記第１の補正手段により前記画像出力装置へ受け渡す同一の撮影者により撮影された複数の撮影画像のうちの１つに施された画像処理を他の撮影画像にも施すように指示する指示手段と、
該指示手段により指示された指示情報を前記画像出力装置に受け渡す指示情報受渡手段とをさらに有するものであり、
前記画像出力装置の第２の補正手段が、前記画像処理装置から受取った前記指示情報に応じて、前記画像処理装置から受取った前記他の撮影画像に対して画像処理を施すものであることを特徴とする請求項６記載の画像出力システム。
【請求項８】
前記画像処理装置が、撮影者を認識する認識手段をさらに有し、
前記指示情報が、前記認識手段によって認識した撮影者の識別情報を含むものであり、
前記画像出力装置の第２の補正手段が、該認識情報により前記撮影者が撮影した前記他の撮影画像を識別するものであることを特徴とする請求項７記載の画像出力システム。
【請求項９】
被写体を撮影して得た撮影画像を補正する画像処理装置と、前記撮影画像の出力を受け付ける画像出力装置とを備えた画像出力システムにおける画像処理装置であって、
前記撮影画像に画像処理を施して補正画像を得る第１の補正手段と、
該第１の補正手段により得た補正画像を確認表示する確認表示手段と、
該確認表示手段により確認表示後、該確認表示した補正画像に施した画像処理の補正条件を前記画像出力装置に受け渡す補正条件受渡手段とを有することを特徴とする画像処理装置。
【請求項１０】
被写体を撮影して得た撮影画像を補正する画像処理装置と、前記撮影画像の出力を受け付ける画像出力装置とを備えた画像出力システムにおける画像出力装置であって、
前記画像処理装置において前記撮影画像を補正した補正条件を前記画像処理装置より受け取り、該補正条件に基づいて前記撮影画像に画像処理を施した補正画像を得る第２の補正手段と、
該第２の補正手段により得た補正画像を出力する出力手段とを有することを特徴とする画像出力装置。
【請求項１１】
被写体を撮影して得た撮影画像を補正する画像処理装置と、前記撮影画像の出力を受け付ける画像出力装置とを備えた画像出力システムにおける画像処理装置のコンピュータを、
前記撮影画像に画像処理を施して補正画像を得る第１の補正手段と、
該第１の補正手段により得た補正画像を確認表示する確認表示手段と、
該確認表示手段により確認表示後、該確認表示した補正画像に施した画像処理の補正条件を前記画像出力装置に受け渡す補正条件受渡手段として機能させるプログラム。
【請求項１２】
被写体を撮影して得た撮影画像を補正する画像処理装置と、前記撮影画像の出力を受け付ける画像出力装置とを備えた画像出力システムにおける画像出力装置のコンピュータを、
前記画像処理装置において前記撮影画像を補正した補正条件を前記画像処理装置より受け取り、該補正条件に基づいて前記撮影画像に画像処理を施した補正画像を得る第２の補正手段と、
該第２の補正手段により得た補正画像を出力する出力手段として機能させるプログラム。
【請求項１３】
被写体を撮影して得られた撮影画像を補正する画像処理装置と、前記撮影画像の出力を受け付ける画像出力装置とを備えた画像出力システムにおける画像出力方法であって、
前記画像処理装置が、
前記撮影画像に画像処理を施して補正画像を得る第１の補正ステップと、
該第１の補正手段により得た補正画像を確認表示する確認表示ステップと、
該確認表示した補正画像に施した画像処理の補正条件を前記画像出力装置に受け渡す補正条件受渡ステップとを有し、
前記画像出力装置が、
前記補正条件を前記画像処理装置より受け取り、該補正条件に基づいて前記撮影画像に画像処理を施した補正画像を得る第２の補正ステップと、
該第２の補正手段により得た補正画像を出力する出力ステップとを有することを特徴とする画像出力方法。
【発明の詳細な説明】
【技術分野】
【０００１】
本発明は、デジタルカメラ等により取得された画像データに対して画像処理を行なう画像の画像出力システム、画像出力方法、画像処理装置、画像出力装置およびそのプログラム関するものである。
【背景技術】
【０００２】
デジタルスチルカメラ（以下デジタルカメラとする）は、撮像により取得した画像を、デジタル画像データとしてデジタルカメラ内部に設けられた内部メモリやＩＣカードなどの記録媒体に記録し、記録されたデジタル画像データをプリンタやモニタを用いて確認することができるなど、従来のネガフィルムを用いたカメラに比べると利便性が高く利用者が増えつつある。また、デジタルカメラで取得した画像をプリントする際にも、ネガフィルムからプリントされた写真と同様の高品位な画質を有するプリントが期待されるようになって来ている。
【０００３】
デジタルカメラは光学系（撮影レンズ絞り、シャッター、ストロボ）、撮像系（ＣＣＤ、信号処理系）、制御系（ＡＥ、ＡＷＢ、ＡＦ）、記録／再生系（圧縮／伸長、メモリ制御、表示）などの要素から構成されている。そして、これらの要素のうち再生される画像の画質に影響を与える要因としては、レンズの性能の外に、ストロボ光の色温度、ＡＥ（オート露出制御）処理、ＡＷＢ（オートホワイトバランス調整）処理、ＣＣＤ色分解カラーフィルタ、画素数、階調処理、輝度／色差信号を得るマトリクス演算処理などが挙げられ、デジタルカメラにおいてはこれらの要因を制御して高画質な再生画像となる画像データを取得するようにしている。
【０００４】
また、近年、撮影者の意図を反映すべく、撮影者により光源種固定モードや、画像処理条件（ＡＷＢ処理条件や、階調、シャープネス、彩度など関連の処理条件）や、好み（モノクロ／セピア色、美肌など）、撮影モード（長時間露光、アンダー露光など）や、シーン選択モード（ポートレート、遠景、夜景、動体、クローズアップなど）などの設定を可能にし、これらの設定に基づいて撮影して得た画像データに対して画像処理を行うデジタルカメラも開発されている。
【０００５】
一方、デジタルカメラにより取得された画像は、写真店を介さずに撮影者自身でプリンタによりプリントしたりモニタに再生したりすることができるため、ユーザは画像のプリントを自分自身で自由に行うことができる。しかしながら、満足できる画質のプリントを得るためには、取得された画像データを一旦プリントあるいはモニタに再生した後、修正を行う必要があるため、多数のプリントを作成しようとすると、作業が煩わしく非常に効率が悪いものとなる。このため、従来のネガフィルムと同様に、写真店にデジタルカメラにより取得された画像のプリントを依頼して高画質のプリント画像を得たいという要望がある。
【０００６】
しかし、上述したようにデジタルカメラにおいて再生画像の画質に影響を与える要因は、デジタルカメラの製造メーカや機種などのカメラの種別に応じて異なるため、種別が異なるデジタルカメラにより取得された画像データからプリントを作成する写真店において、高品質のプリント画像を得るためには、デジタルカメラの機種特性を考慮に入れてプリント作業を行う必要がある。そのため、デジタルカメラに付随されているタグ情報からデジタルカメラの機種を判断し、デジタルカメラの種別に応じて異なる画像処理条件により画像データに対して画像処理を施すようにすることによって、デジタルカメラの機種に拘わらず高品質なプリント画像を得るシステムを提案したものがある（例えば、特許文献１）。
【０００７】
また、デジタルカメラは、毎年数十台もの新機種が発売されているため、上記のようにデジタルカメラの機種特性を把握して、画像データを取得したデジタルカメラの機種特性に応じて画像処理条件を決定することは実質的には困難であるため、実用性に欠けるという問題がある。そこで、画像データからデジタルカメラの機種特性について何らかの方法により推定して画像処理条件を決定する手法が提案されている。
【０００８】
さらに、デジタルカメラで設定された画像処理条件（例えば、撮影時に設定されるポートレート、遠景、夜景の撮影モードや、再生時に設定される、通常、セピア、美肌の３つの好みモード等）を、画像データの付帯情報として記録媒体に記録し、画像処理装置において、この画像データの付帯情報を参照して画像処理を行うようにして、撮影者が意図した画像処理条件で画像処理を行い、望ましい画質を有する再生画像を得る方法を提案したものもある（例えば、特許文献２）。
【特許文献１】特開平１１−２２０６８７号公報
【特許文献２】特開２００３−２８３９８２
【発明の開示】
【発明が解決しようとする課題】
【０００９】
近年、利用者からはデジタルカメラで撮影した画像をプリントする際にも、ネガフィルムで撮影した画像と変わらない高品質な仕上がりが望まれている。しかしながら、高品質な画像に仕上げるには、上述のようにデジタルカメラの特性に応じて画像処理を施す必要があるが、受け取った画像データからはどのようなデジタルカメラ撮影されたかは不明である。そこで、画像データを解析してデジタルカメラの機種特性を得るようにすることもできるが、この解析結果はあくまでも推定であって、デジタルカメラの機種特性を完全に把握することはできないため、高品質な画像処理を行うのは難しいという問題がある。
【００１０】
また、撮影者がどのような画像を目的としていたのかという様な撮影者の意図や、画像データがどのような画像処理が施されたものであるかはプリンタなどの画像出力装置側において伺い知ることができない。そのため、撮影者の意図に反した画像処理が施され、望ましい再生画像を得ることができないことがあるという問題もある。
【００１１】
さらに、設定された画像処理条件を画像データの付帯情報としてプリント装置に受け渡し、プリント時にこの画像データの付帯情報を参照して画像処理を行うようにしたとしても、画像処理後の画像が意図した状態に仕上がるか否かをプリント依頼する前に確認することはできない。
【００１２】
本発明は、上記事情に鑑みなされたものであり、デジタルカメラにより取得した画像データに対する画像処理を施す際に、撮影者の意図に基づいた画像処理を行なって高品質な再生画像をプリントすることができる画像出力システム、画像出力方法、画像処理装置、画像出力装置およびそのプログラムを提供することを目的とするものである。
【課題を解決するための手段】
【００１３】
本発明の画像出力システムは、被写体を撮影して得た撮影画像を補正する画像処理装置と、前記撮影画像の出力を受け付ける画像出力装置とを備えた画像出力システムにおいて、
前記画像処理装置が、
前記撮影画像に画像処理を施して補正画像を得る第１の補正手段と、
該第１の補正手段により得た補正画像を確認表示する確認表示手段と、
該確認表示手段により確認表示後、該確認表示した補正画像に施した画像処理の補正条件を前記画像出力装置に受け渡す補正条件受渡手段とを有し、
前記画像出力装置が、
前記補正条件を前記画像処理装置より受け取り、該補正条件に基づいて前記撮影画像に画像処理を施した補正画像を得る第２の補正手段と、
該第２の補正手段により得た補正画像を出力する出力手段とを有することを特徴とするものである。
【００１４】
また、本発明の画像処理装置は、被写体を撮影して得た撮影画像を補正する画像処理装置と、前記撮影画像の出力を受け付ける画像出力装置とを備えた画像出力システムにおける画像処理装置であって、
前記撮影画像に画像処理を施して補正画像を得る第１の補正手段と、
該第１の補正手段により得た補正画像を確認表示する確認表示手段と、
該確認表示手段により確認表示後、該確認表示した補正画像に施した画像処理の補正条件を前記画像出力装置に受け渡す補正条件受渡手段とを有することを特徴とすることを特徴とするものである。
【００１５】
また、被写体を撮影して得られた撮影画像を補正する画像処理装置と、前記撮影画像の出力を受け付ける画像出力装置とを備えた画像出力システムにおける画像出力方法であって、
前記画像処理装置が、
前記撮影画像に画像処理を施して補正画像を得る第１の補正ステップと、
該第１の補正手段により得た補正画像を確認表示する確認表示ステップと、
該確認表示した補正画像に施した画像処理の補正条件を前記画像出力装置に受け渡す補正条件受渡ステップとを有し、
前記画像出力装置が、
前記補正条件を前記画像処理装置より受け取り、該補正条件に基づいて前記撮影画像に画像処理を施した補正画像を得る第２の補正ステップと、
該第２の補正手段により得た補正画像を出力する出力ステップとを有することを特徴とする。
【００１６】
本発明の画像処理装置のプログラムは、被写体を撮影して得た撮影画像を補正する画像処理装置と、前記撮影画像の出力を受け付ける画像出力装置とを備えた画像出力システムにおける画像処理装置のコンピュータを、
前記撮影画像に画像処理を施して補正画像を得る第１の補正手段と、
該第１の補正手段により得た補正画像を確認表示する確認表示手段と、
該確認表示手段により確認表示後、該確認表示した補正画像に施した画像処理の補正条件を前記画像出力装置に受け渡す補正条件受渡手段として機能させることを特徴とするものである。
【００１７】
また、本発明の画像出力装置は、
被写体を撮影して得た撮影画像を補正する画像処理装置と、前記撮影画像の出力を受け付ける画像出力装置とを備えた画像出力システムにおける画像出力装置であって、
前記画像処理装置において前記撮影画像を補正した補正条件を前記画像処理装置より受け取り、該補正条件に基づいて前記撮影画像に画像処理を施した補正画像を得る第２の補正手段と、
該第２の補正手段により得た補正画像を出力する出力手段とを有することを特徴とするものである。
【００１８】
本発明の画像出力装置のプログラムは、被写体を撮影して得た撮影画像を補正する画像処理装置と、前記撮影画像の出力を受け付ける画像出力装置とを備えた画像出力システムにおける画像出力装置のコンピュータを、
前記画像処理装置において前記撮影画像を補正した補正条件を前記画像処理装置より受け取り、該補正条件に基づいて前記撮影画像に画像処理を施した補正画像を得る第２の補正手段と、
該第２の補正手段により得た補正画像を出力する出力手段として機能させることを特徴とするものである。
【００１９】
「画像処理装置」は、画像処理の機能を備えた装置であり、例えば、デジタルスチルカメラ、携帯電話、パソコン等のコンピュータである。
【００２０】
「補正条件」とは、撮影画像に画像処理を施して、目標とする補正画像を得るための条件である。例えば、補正条件には、補正タイプ（例えは、赤目補正、手ブレ補正）、補正箇所（被写体領域、被写体の顔や目の領域など）、補正方向（手ブレの方向が横か縦かなど）、補正強度（手ブレの幅、赤目補正の赤さの修正量、顔の明るさの補正量など）等がある。
【００２１】
「画像出力装置」は、画像処理の機能を備えた装置であり、例えば、プリント専用の装置や、ワークステーションやパソコン等のコンピュータにプリンタが接続されたものであってもよい。
【００２２】
前記出力手段は、プリンタであってもよい。
【００２３】
前記出力手段は、電子記録媒体に記録する記録装置であってもよい。
【００２４】
また、前記補正条件は、前記第１の補正手段により得た補正画像の少なくとも一部を補正の結果として得られた補正条件とするものでもよい。
【００２５】
「補正画像の少なくとも一部を補正の結果として得られた補正条件とする」とは、補正画像の一部または全てに含まれる画素のデータを補正条件とすることを意味し、画素のデータを補正の目標とするものである。また、「補正画像の少なくとも一部」は、拡大または縮小された画像の一部または全部でもよい。
【００２６】
また、画像処理装置は、デジタルスチルカメラであってもよい。
【００２７】
さらに、画像処理装置は、前記撮影画像を前記画像出力装置に受け渡す撮影画像受渡手段を有するものであり、
前記画像出力装置の第２の補正手段では、前記画像処理装置から受取った撮影画像に画像処理を施すものであってもよい。
【００２８】
また、前記画像処理装置は、前記画像処理装置の前記第１の補正手段により前記画像出力装置へ受け渡す同一の撮影者により撮影された複数の撮影画像のうちの１つに施された画像処理を他の撮影画像にも施すように指示する指示手段と、
該指示手段により指示された指示情報を前記画像出力装置に受け渡す指示情報受渡手段とをさらに有するものであり、
前記画像出力装置の第２の補正手段が、前記画像処理装置から受取った前記指示情報に応じて、前記画像処理装置から受取った前記他の撮影画像に対して画像処理を施すものであってのよい。
【００２９】
さらに、前記画像処理装置が、撮影者を認識する認識手段をさらに有し、
前記指示情報が、前記認識手段によって認識した撮影者の識別情報を含むものであり、
前記画像出力装置の第２の補正手段が、該認識情報により前記撮影者が撮影した前記他の撮影画像を識別するものであってもよい。
【発明の効果】
【００３０】
本発明によれば、画像処理機能を備えたデジタルスチルカメラなどの画像処理装置で、撮影画像を補正した補正画像を確認後、確認した補正画像に施した画像処理の補正条件を前記画像出力装置に受け渡し、画像出力装置で該補正条件に基づいて撮影画像に画像処理を施した補正画像をプリントすることにより、撮影者がプリントする前に仕上がりの状態を確認することができ、確認した画像に近い仕上がりとなるようにプリントすることができる。
【００３１】
補正条件として、画像処理装置で補正した補正画像の少なくとも一部を画像出力装置に受け渡すようにすれば、受け渡した画像を目標として同じ状態になるように画像処理を施すことができる。
【００３２】
また、デジタルカメラ等の画像処理装置から画像出力装置に撮影画像を受け渡すようにすれば、デジタルカメラで撮影した撮影画像をデジタルカメラで確認した仕上がりと一致するように、即座にプリントすることが可能である。
【発明を実施するための最良の形態】
【００３３】
以下、図面を参照して、本発明のプリント方法を実施するプリントシステムの実施形態について説明する。
【００３４】
第１の実施の形態における画像出力システム１は、図１に示すように、被写体を撮影して得られた撮影画像を補正する画像処理装置２と、前記撮影画像のプリントなどの出力を受け付ける画像出力装置３とを備える。
【００３５】
画像処理装置２は、撮影画像１００に画像処理を施して補正画像２００を得る第１の補正手段２０と、第１の補正手段により得た補正画像２００を確認表示する確認表示手段２１と、確認表示後、該確認表示した補正画像２００に施した画像処理の補正条件３００を画像出力装置３に受け渡す補正条件受渡手段２２と、撮影画像１００を画像出力装置３に受け渡す撮影画像受渡手段２３を備える。
【００３６】
また、画像出力装置３は、補正条件３００を画像処理装置２より受け取り、該補正条件３００に基づいて撮影画像１００に画像処理を施した補正画像２０１を得る第２の補正手段３０と、第２の補正手段３０により得た補正画像を出力する出力手段３１とを備える。
【００３７】
本実施の形態では、出力手段３１がプリンタである場合について以下説明する。
【００３８】
画像処理装置２は、例えば、画像処理機能を備えたデジタルカメラや、パソコン等のコンピュータに画像処理用のソフトウェアをインストールしたものである。
【００３９】
画像処理装置２の第１の補正手段２０は、赤目補正、手ブレ補正、ＡＥ、ＡＷＢ、ボケ補正、逆光補正、肌色補正、美肌補正などの種々の画像処理を備え、ユーザにより指示された補正内容に応じて、所定の画像処理を施す。
【００４０】
確認表示手段２１は、デジタルカメラに設けられたＬＣＤ等の表示部に第１の補正手段２０で画像処理を施した補正画像２００を確認表示する。
【００４１】
補正条件受渡手段２２は、画像処理を施した補正画像２００を確認表示した後、その補正条件３００を画像出力装置３側に受け渡す。具体的には、例えば、画像出力装置３とUSBケーブル等で接続して補正条件３００を出力したり、記憶媒体に記憶して記憶媒体を画像出力装置３に差し込んで読み込ませたり、画像出力装置３にネットワーク経由で送信して受け渡すようにしてもよい。
【００４２】
一方、画像出力装置３は、例えば、コンビニエンスストアや、ミニラボ等に設置されるプリント専用装置や、ワークステーションやパソコン等のコンピュータにプリンタを接続したものであり、種々の画像処理を施すことが可能なように十分なメモリが搭載され十分な処理速度と計算精度が確保できるものである。
【００４３】
画像出力装置３の第２の補正手段３０は、画像最適化処理、赤目補正、手ブレ補正、ＡＥ、ＡＷＢ、ボケ補正、逆光補正、肌色補正、美肌補正などの種々の画像処理機能を備え、画像出力装置３に予め設定されている内容に従って、撮影画像１００に複数の画像処理を自動的に施して補正画像２０１を作成するが、画像処理装置２より受取った補正条件３００に関する画像処理は、その補正条件３００に従って画像処理を施す。
【００４４】
以下、本実施の形態では画像処理装置をデジタルカメラとして、デジタルカメラで撮影した撮影画像を画像出力装置３でプリントする場合の流れについて、図４に基づいて説明する。また、デジタルカメラと画像出力装置３とをUSBケーブルで接続し、デジタルカメラで撮影して得た撮影画像のプリントの指示を行なうものとする。
【００４５】
近年、デジタルカメラの高性能化に伴い様々な画像処理（赤目補正、手ブレ補正、ＡＥ、ＡＷＢ、ボケ補正、逆光補正、肌色補正、美肌補正など）の機能が搭載されるようになってきたが、デジタルカメラは携帯されるように設計されるため、ＣＰＵの処理速度や搭載されるメモリ容量等に制限があり、画像処理専用の装置として用いられるプリント専用装置やワークステーションやパソコン等のコンピュータと同じ処理を実行すると、処理時間が掛かり実用的でなかったり、計算精度が保障されず変換後の画像の画質に問題が残る場合がある。
【００４６】
一方、プリント専用機などの画像出力装置３にプリント依頼して、撮影画像１００に画像処理を施してプリントするようにすれば高画質な仕上がりが望める。しかし、画像出力装置３に設定されている標準的な補正値の設定に従って画像処理を行なうと高画質な仕上がりとなるが、撮影者が意図しない補正が行なわれる場合がある。
【００４７】
また、多くの撮影者は、デジタルカメラで撮影を行なった後、デジタルカメラに設けられたＬＣＤで撮影画像１００を確認して、手ブレがあるものやピントがボケているものは、プリントに依頼しないで削除してしまう場合が多い。しかし、どうしても残したいショットである場合には、なんとか画像処理を施して救済しようと思うが、プリント依頼をした画像出力装置３で補正が可能であるか否かは不明である。
【００４８】
そこで、撮影者はデジタルカメラのＬＣＤに撮影画像１００を表示し（Ｓ１００）、デジタルカメラのＬＣＤの横に設けられたボタンなどを用いて撮影画像１００の補正内容を指示し（Ｓ１０１）、指示された内容に応じて第１の補正手段２０で画像処理を施した補正画像２００を作成する（Ｓ１０２）。補正内容には、補正タイプ（赤目補正、手ブレ補正など）、補正箇所（被写体の領域、被写体の顔や目の領域など）、補正方向（手ブレの方向が横か縦かなど）、補正強度（手ブレの幅、赤目補正の赤さらしさの修正量、顔の明るさの補正量など）などがあり、撮影者がＬＣＤの横に設けられているボタン等を用いて指示を行なう。
【００４９】
例えば、図２に示すように、手ブレ補正では、撮影者はＬＣＤに表示されている撮影画像２００を確認しながら、手ブレしている被写体Ｈと手ブレ方向ｔを指定し、さらに手ブレを補正する補正幅ｄを指定する。手ブレの補正幅ｄは、ボタンＢ（例えば、インクリメンタルキーやデクリメンタルキー）を１回押下する毎に所定の幅の手ブレを補正するようにして、徐々に補正幅が変えられるようにする。指示に応じて画像処理が施された補正画像２００は、確認表示手段２１によりＬＣＤに随時表示され（Ｓ１０３）、撮影者はＬＣＤに表示された補正画像２００がちょうど良くなったところで補正画像２００を確定する（Ｓ１０４）。
【００５０】
あるいは、逆光で撮影が行われ被写体の顔が暗く撮影されている場合には、補正する被写体を指定して、ボタンを１回押下する毎に画像が所定の量の明るくなるようにして、徐々に明るさが変えられるようにする。撮影者は、ＬＣＤに表示された補正画像２００を確認して、ちょうど良くなったところで補正画像２００を確定する。
【００５１】
また、赤目補正の場合には、補正する被写体の顔を指定して、顔から目を自動検出して、この目の部分の色をボタンを押下する毎に変えるようにする。
【００５２】
また、指定された領域の面積が大きい場合には、デジタルカメラで撮影画像１００に画像処理を施すと処理時間がかかる場合がある。その場合には、撮影画像１００から縮小画像や一部の画像のような画素数の少ない画像を作成し、縮小画像や一部の画像に対して画像処理を施し処理時間を短縮するようにしてもよい。このような画素数の少ない画像であっても、デジタルカメラに設けられているＬＣＤでブレが補正されたかや、明るさが好みの明るさになったかなどを確認するには十分である。
【００５３】
また、このように撮影画像１００を見ながら操作した内容（ボタンを押した回数など）や操作した時間、あるいは、確認表示していた時間などをログに記録し、ログから撮影画像１００を操作した時間が長ければ重要な画像である判断するようにしてもよい。
【００５４】
以上のようにして、補正画像２００を確定した後（Ｓ１０４）、撮影画像１００に施された処理条件３００を画像出力装置３に出力する（Ｓ１０５）。具体的には、ブレ補正の場合では、補正した領域、手ブレの方向（横か縦か）、補正幅等を補正条件３００として画像出力装置３に出力する。あるいは、逆光の補正では、補正した領域、補正した明るさの量等を補正条件３００として画像出力装置３に出力する。また、補正条件３００とともに、撮影画像受渡手段２３により撮影画像１００を画像出力装置３に出力する（Ｓ１０６）。このとき、前述のログから撮影画像１００が重要な画像であると判断された場合には、撮影画像１００に重要な画像であることを表すようなフラグを付けて出力するようにしてもよい。
【００５５】
画像出力装置３は、デジタルカメラより撮影画像１００と補正条件３００とを受け取り（Ｓ２００、Ｓ２０１）、第２の補正手段３０で、撮影画像１００に画像処理を施して補正画像２０１を作成する（Ｓ２０２）。第２の補正手段３０では、補正条件３００により指定されている補正内容は、その補正条件３００に従って画像処理を施すが、その他の画像処理は、画像出力装置３の設定に従って標準的な処理結果が得られるように画像処理を施す。例えば、画像出力装置３に、画像最適化処理と赤目補正と手ブレ補正とを施すような設定がされ、補正条件３００には手ブレ補正に関する条件が指定されている場合には、画像最適化処理と赤目補正は画像出力装置３の標準の設定に応じて施し、手ブレ補正については、補正条件３００で指定されている内容に従って画像処理を行なう。
【００５６】
また、例えば、逆光の補正のように、逆光になっている被写体を指定し、指定した領域を部分的に補正してＬＣＤで確認し、確認した補正画像２００の被写体と同じ色合いに仕上げたい場合には、例えば、図３に示すように、補正画像２００のうちの補正した領域Ｆの画像を補正条件３００として画像出力装置３に出力するようにしてもよい。また、赤目補正の場合には、赤目補正された目の部分の画像を補正条件としてデジタルカメラから画像出力装置３に出力するようにしてもよい。画像出力装置３の第２の補正処理３０では、補正条件３００として受け取った補正画像２００の一部の画像のデータの値と撮影画像の該当する領域とが同じデータの値になるように撮影画像１００に画像処理を施して補正画像２０１を作成する。
【００５７】
あるいは、デジタルカメラで操作したログを記憶したものを補正条件３００として画像出力装置３に出力し、画像出力装置３ではこのログを解析して（例えば、ボタンの押下された回数から指定された補正量を求めたり、複数の処理をどの順番で施したかなどを解析する）、解析結果に従って画像処理を施すようにしてもよい。
【００５８】
以上のようにして撮影画像１００に画像処理を施した補正画像２０１を、画像出力装置３のプリンタよりプリントする（Ｓ２０３）。
【００５９】
以上説明したように、デジタルカメラでは指定された画像処理のみを施して、補正が可能であるか、好みの画像に仕上がっているかを確認して、画像出力装置３に同じ仕上がりになるようにプリント指示をすることができる。
【００６０】
デジタルカメラで確認した補正画像２００と、画像出力装置３で画像処理を施した補正画像２０１がなるべく同じ仕上がりになるようにしたものが好ましい。そこで、デジタルカメラの画像処理と画像出力装置３の画像処理は同じプログラムである方がよいが、デジタルカメラの処理能力がそのプログラムを実行するのに十分な処理能力を持たない場合には、画像処理を簡単にした処理負荷の軽いプログラムをデジタルカメラに搭載するようにしてもよい。
【００６１】
次に、第２の実施の形態では、１つの撮影画像に施した画像処理を他の撮影画像にも施す方法について説明する。本実施の形態では、前述の実施の形態とほぼ同じ機能を持つ構成には同一符号を付して詳細な説明は省略する。
【００６２】
撮影者の好む画像は、撮影者によって傾向があり、例えば、美肌処理した画像を好む撮影者は、人の顔が撮影されている他の画像にも同様の美肌処理をすることを望む傾向がある。
【００６３】
第２の実施の形態の画像出力システム１は、図５に示すように、被写体を撮影して得られた撮影画像１００を補正する画像処理装置２と、前記撮影画像のプリントを受け付ける画像出力装置３とを備え、画像処理装置２は、第１の補正手段２０、確認表示手段２１、補正条件受渡手段２２、撮影画像受渡手段２３に加え、画像出力装置３に送る撮影画像１００に第１の補正手段で施した画像処理を他の撮影画像１００にも施すように指示する指示手段２４と、前記指示手段によって指示された指示情報３０１を前記画像出力装置３に受け渡す指示情報受渡手段２５を備える。また、画像出力装置３には、第２の補正手段３０と、出力手段３１を備える。本実施の形態では、画像処理装置２を以下デジタルカメラとし、画像出力装置３のプリンタでプリントする場合について説明する。
【００６４】
撮影画像受渡手段２３は、撮影画像１００を画像出力装置３に出力する際、デジタルカメラタグ情報など、各デジタルカメラを識別できる識別情報を撮影画像１００に付帯して画像出力装置３に出力する。あるいは、デジタルカメラに撮影者を認識することができるように指紋認証装置などの認識手段を設け、認識手段で認識した撮影者を識別できるような識別情報を撮影画像１００に付帯して画像出力装置３に出力するようにしてもよい。必要に応じて、識別情報に、デジタルカメラを識別する情報と撮影者を識別する情報の両方を含むようにすることも可能である。
【００６５】
指示手段２４は、例えば、デジタルカメラ２でモード選択をすることにより、１つの撮影画像１００に施した画像処理を他の撮影画像１００にも同様に画像処理を施すように指示する。さらに、各モードに応じて、同じ撮影者が撮影した撮影画像１００に対して同じ画像処理を施すのか、同じデジタルカメラで撮影した撮影画像１００に対して同じ画像処理を施すのかを指定できるようにしてもよい。
【００６６】
指示情報受渡手段２５は、補正条件受渡手段２２で補正条件３００を画像出力装置３に出力する際に、指示手段２４で他の撮影画像１００にも同じ画像処理を施すように指示した条件を表す指示情報３０１を補正条件３００とともに画像出力装置３に出力する。指示情報３０１には、指示したデジタルカメラや、指示した撮影者などが特定できるように、上述の識別情報を含むようにする。
【００６７】
画像出力装置３は、デジタルカメラ２で撮影された撮影画像１００を複数受取るが、前述の識別情報を撮影画像１００に付帯して受け取り、受取った撮影画像１００をハードディスクなどの記憶装置に記憶する。
【００６８】
そこで、第２の補正手段３０は、指示情報３０１を受取ると、記憶されている撮影画像１００の中から、指示情報３０１で指示された条件に一致した撮影画像１００を取り出し、デジタルカメラ２から出力されてきた補正条件３００と一致する画像処理を取り出した撮影画像１００に施す。
【００６９】
例えば、補正条件３００が美肌処理である場合には、画像出力装置３の記憶装置の中から同じ撮影者が撮影した撮影画像１００を検索し、検索された撮影画像１００から自動的に顔検出を行い、検出された顔の部分に美肌処理を施すようにする。
【００７０】
このように、第２の実施の形態では、同じ撮影者によって撮影された撮影画像１００に対して同じ画像処理を施すことが可能になる。
【００７１】
上述では、デジタルカメラと画像出力装置３がＵＳＢケーブルで接続されている場合について説明したが、デジタルカメラで撮影画像１００と補正条件３００をスマートメディアなその電子記録媒体に記録し、電子記録媒体を画像出力装置３に差し込んで記録されている撮影画像１００と補正条件３００を読み取るようにしてもよい。あるいは、デジタルカメラと画像出力装置３とがネットワークで接続され、撮影画像１００と補正条件３００をネットワーク経由でデジタルカメラから画像出力装置３に送信してもよい。また、デジタルカメラはカメラ付の携帯電話や情報端末装置であってもよい。
【００７２】
上述では、撮影画像をデジタルカメラから画像出力装置に転送してプリントする場合について説明したが、画像出力装置がフォトバンクの機能を備えたサーバと接続されている場合には、サーバに記憶している撮影画像に画像処理を施してプリントするようにしてもよい。
【００７３】
また、上述では画像処理装置をデジタルカメラとして説明したが、画像処理装置がパソコン等のコンピュータに画像処理機能を搭載したものあってもよい。例えば、コンピュータに備えた画像処理機能は、一般に販売されている汎用の画像処理用ソフトウェアをインストールしたもので、その画像処理用ソフトウェアで顔領域の色や赤目の色を補正して、その領域の画像データを切り取ったものを補正条件として画像出力装置に送信するようすれば、画像出力装置側では、補正条件として送られてきた画像のデータの値を目標として撮影画像を補正することが可能となり、撮影者の好みに合った補正を行なうことができる。
【００７４】
あるいは、インターネットからフォトサービスのＷＥＢページに接続して、フォトバンクに記憶している撮影画像を掲載して、パソコン上でその撮影画像に画像処理を施して補正画像を確認した後に、補正条件を画像出力装置に転送するようにしてもよい。
【００７５】
上述では第１の補正手段が撮影画像に対して補正を行う場合について説明したが、すでに第１の補正手段で一旦画像処理された画像をデジタルカメラなどの画像処理装置に記憶しておき、再度、その画像に第１の補正手段で画像処理を行うようにしてもよい。
【００７６】
上述では、画像出力装置のプリンターでプリントを行う場合について説明したが、画像出力装置にスマートメディアなどの電子記録媒体に記憶する記録装置を設けるようにして、第２の補正手段により補正した補正画像を電子記録媒体に記憶するようにしてもよい。
【００７７】
また、上述の画像処理装置の各機能を実行可能なプログラムを記録媒体に記憶して、画像処理装置にインストールするような構成にしてもよい。同様に、画像出力装置の各機能を実行可能なプログラムを記録媒体に記憶して、画像出力装置にインストールするような構成にしてもよい。あるいは、ネットワークを介して各プログラムを配信してインストールできるようにしてもよい。
【００７８】
以上、詳細に説明したように、デジタルカメラ等の画像処理装置で補正した補正画像を確認後に、この補正画像に補正するために補正条件を画像出力装置に受け渡して、プリンタで再度補正を行なうことにより、確認した補正画像と同じ状態に仕上がり、かつ高画質な補正をおこなうことが可能となる。
【図面の簡単な説明】
【００７９】
【図１】第１の実施の形態の画像出力システムの概略構成を示す図
【図２】補正指示の一例
【図３】補正条件として補正画像の一部を出力する場合の一例
【図４】本発明の画像出力システムの流れを示すフローチャート
【図５】第２の実施の形態の画像出力システムの概略構成を示す図
【符号の説明】
【００８０】
１    本発明の画像出力システム
２    画像処理装置
３    画像出力装置
20    第１の補正手段
21    確認表示手段
22    補正条件受渡手段
23    撮影画像受渡手段
24    指示手段
25    指示情報受渡手段
30    第２の補正手段
31    プリント手段
100   撮影画像
200、201  補正画像
300   補正条件
【図１】
2005318561.tif 000003
【図２】
2005318561.tif 000004
【図３】
2005318561.tif 000005
【図４】
2005318561.tif 000006
【図５】
2005318561.tif 000007